(57)【特許請求の範囲】
【請求項１】
制御チャネルリソース構成方法であって、
基地局により、制御チャネルの時間−周波数リソースユニットの少なくとも２つの構成から、第１の制御チャネルの時間−周波数リソースユニットの構成を決定するステップと、
前記基地局により、上位レイヤシグナリングによって指示情報を端末デバイスに送るステップであって、前記指示情報は、前記制御チャネルの前記時間−周波数リソースユニットの前記構成を示すために使用される、ステップとを備え、
制御チャネルの時間−周波数リソースユニットの前記少なくとも２つの構成が、第１の構成および第２の構成を備え、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、方法。
【請求項２】
前記第１の制御チャネルは、制御領域における少なくとも１つの時間−周波数リソース領域において送信され、
基地局により、制御チャネルの時間−周波数リソースユニットの少なくとも２つの構成から、第１の制御チャネルの時間−周波数リソースユニットの構成を決定する前記ステップが、
前記基地局により、制御チャネルの時間−周波数リソースユニットの前記少なくとも２つの構成から、前記少なくとも１つの時間−周波数リソース領域のそれぞれにおける時間−周波数リソースユニットの構成を決定するステップを含み、
前記指示情報は、前記少なくとも１つの時間−周波数リソース領域のそれぞれにおける時間−周波数リソースユニットの構成を示すために使用される
請求項１に記載の方法。
【請求項３】
前記第２の構成の前記時間−周波数リソースユニットは、前記制御領域により占有された前記直交周波数分割多重シンボルにおける少なくとも２つの隣接する直交周波数分割多重シンボル上に位置する
請求項２に記載の方法。
【請求項４】
前記第２の構成の時間−周波数リソースユニットについて、前記第２の構成の前記時間−周波数リソースユニットにより占有された前記直交周波数分割多重シンボルのそれぞれは、同じ量の参照信号を搬送する
請求項１乃至３のいずれか一項に記載の方法。
【請求項５】
前記第２の構成の時間−周波数リソースユニットについて、前記第２の構成の前記時間−周波数リソースユニットにより占有された前記直交周波数分割多重シンボルでそれぞれが搬送される前記参照信号は、同じ周波数領域位置に位置する
請求項１乃至４のいずれか一項に記載の方法。
【請求項６】
前記制御チャネルの時間−周波数リソースは、複数の時間−周波数リソースユニットを含む、
請求項１乃至５のいずれか一項に記載の方法。
【請求項７】
制御チャネルリソース構成方法であって、
端末デバイスにより、基地局により上位レイヤシグナリングを用いて送られた指示情報を受信するステップであって、前記指示情報は、制御チャネル時間−周波数リソースユニットの構成を示すために使用され、前記制御チャネル時間−周波数リソースユニットの前記構成は、制御チャネルの時間−周波数リソースユニットの少なくとも２つの構成のうちの１つである、ステップと、
前記端末デバイスにより、前記制御チャネル時間−周波数リソースユニットの前記構成に基づいて、第１の制御チャネルを検出するステップとを備え、
制御チャネルの時間−周波数リソースユニットの前記少なくとも２つの構成が、第１の構成および第２の構成を含み、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、制御チャネルリソース構成方法。
【請求項８】
前記第１の制御チャネルは、制御領域における少なくとも１つの時間−周波数リソース領域で検出され、
前記指示情報は、前記少なくとも１つの時間−周波数リソース領域のそれぞれにおける時間領域リソースユニットの構成を示すために使用される
請求項７に記載の方法。
【請求項９】
前記第２の構成の前記時間−周波数リソースユニットは、前記制御領域により占有された前記直交周波数分割多重シンボルにおける少なくとも２つの隣接する直交周波数分割多重シンボル上に位置する
請求項８に記載の方法。
【請求項１０】
前記第２の構成の時間−周波数リソースユニットについて、前記第２の構成の前記時間−周波数リソースユニットにより占有された前記直交周波数分割多重シンボルのそれぞれは、同じ量の参照信号を搬送する
請求項７乃至９のいずれか一項に記載の方法。
【請求項１１】
前記第２の構成の時間−周波数リソースユニットについて、前記第２の構成の前記時間−周波数リソースユニットにより占有された前記直交周波数分割多重シンボルでそれぞれが搬送される前記参照信号は、同じ周波数領域位置に位置する
請求項７乃至１０のいずれか一項に記載の方法。
【請求項１２】
前記制御チャネルの時間−周波数リソースは、複数の時間−周波数リソースユニットを含む、
請求項７乃至１１のいずれか一項に記載の方法。
【請求項１３】
装置であって、
制御チャネルの時間−周波数リソースユニットの少なくとも２つの構成から、第１の制御チャネルの時間−周波数リソースユニットの構成を決定するように構成された処理ユニットと、
上位レイヤシグナリングによって指示情報を端末デバイスに送るように構成された送出ユニットであって、前記指示情報は、前記処理ユニットにより決定された前記第１の制御チャネルの前記時間−周波数リソースユニットの前記構成を示すために使用される、送出ユニットとを備え、
制御チャネルの時間−周波数リソースユニットの前記少なくとも２つの構成が、第１の構成および第２の構成を含み、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、装置。
【請求項１４】
前記第１の制御チャネルは、制御領域における少なくとも１つの時間−周波数リソース領域において送信され、
前記処理ユニットは、制御チャネルの時間−周波数リソースユニットの前記少なくとも２つの構成から、前記少なくとも１つの時間−周波数リソース領域のそれぞれにおける時間−周波数リソースユニットの構成を決定するように特に構成され、
前記指示情報は、前記少なくとも１つの時間−周波数リソース領域のそれぞれにおける時間−周波数リソースユニットの構成を示すために使用される
請求項１３に記載の装置。
【請求項１５】
前記第２の構成の前記時間−周波数リソースユニットは、前記制御領域により占有された前記直交周波数分割多重シンボルにおける少なくとも２つの隣接する直交周波数分割多重シンボル上に位置する
請求項１４に記載の装置。
【請求項１６】
前記第２の構成の時間−周波数リソースユニットについて、前記第２の構成の前記時間−周波数リソースユニットにより占有された前記直交周波数分割多重シンボルのそれぞれは、同じ量の参照信号を搬送する
請求項１３乃至１５のいずれか一項に記載の装置。
【請求項１７】
前記第２の構成の時間−周波数リソースユニットについて、前記第２の構成の前記時間−周波数リソースユニットにより占有された前記直交周波数分割多重シンボルでそれぞれが搬送される前記参照信号は、同じ周波数領域位置に位置する
請求項１３乃至１６のいずれか一項に記載の装置。
【請求項１８】
前記制御チャネルの時間−周波数リソースは、複数の時間−周波数リソースユニットを含む、
請求項１３乃至１７のいずれか一項に記載の装置。
【請求項１９】
装置であって、
基地局により上位レイヤシグナリングを用いて送られた指示情報を受信するように構成された受信ユニットであって、前記指示情報は、制御チャネル時間−周波数リソースユニットの構成を示すために使用され、前記制御チャネル時間−周波数リソースユニットの前記構成は、制御チャネルの時間−周波数リソースユニットの少なくとも２つの構成の１つである、受信ユニットと、
前記制御チャネル時間−周波数リソースユニットの前記構成に基づいて第１の制御チャネルを検出するように構成された検出ユニットとを備え、
制御チャネルの時間−周波数リソースユニットの前記少なくとも２つの構成が、第１の構成および第２の構成を含み、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、装置。
【請求項２０】
前記第１の制御チャネルは、制御領域における少なくとも１つの時間−周波数リソース領域で検出され、
前記指示情報は、前記少なくとも１つの時間−周波数リソース領域のそれぞれにおける時間領域リソースユニットの構成を示すために使用される
請求項１９に記載の装置。
【請求項２１】
前記第２の構成の前記時間−周波数リソースユニットは、前記制御領域により占有された前記直交周波数分割多重シンボルにおける少なくとも２つの隣接する直交周波数分割多重シンボル上に位置する
請求項２０に記載の装置。
【請求項２２】
前記第２の構成の時間−周波数リソースユニットについて、前記第２の構成の前記時間−周波数リソースユニットにより占有された前記直交周波数分割多重シンボルのそれぞれが、同じ量の参照信号を搬送する
請求項１９乃至２１のいずれか一項に記載の装置。
【請求項２３】
前記第２の構成の時間−周波数リソースユニットについて、前記第２の構成の前記時間−周波数リソースユニットにより占有された前記直交周波数分割多重シンボルでそれぞれが搬送される前記参照信号は、同じ周波数領域位置に位置する
請求項１９乃至２２のいずれか一項に記載の装置。
【請求項２４】
前記制御チャネルの時間−周波数リソースは、複数の時間−周波数リソースユニットを備える
請求項１９乃至２３のいずれか一項に記載の装置。
【請求項２５】
装置であって、
制御チャネルの時間−周波数リソースユニットの少なくとも２つの構成から、第１の制御チャネルの時間−周波数リソースユニットの構成を決定するように構成されたプロセッサと、
上位レイヤシグナリングによって指示情報を端末デバイスに送るように構成された送信機であって、前記指示情報は、前記プロセッサにより決定された前記第１の制御チャネルの前記時間−周波数リソースユニットの前記構成を示すために使用される、送信機とを備え、
制御チャネルの時間−周波数リソースユニットの前記少なくとも２つの構成が、第１の構成および第２の構成を備え、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、かつ
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、装置。
【請求項２６】
装置であって、
基地局により上位レイヤシグナリングを用いて送られた指示情報を受信するように構成された受信機であって、前記指示情報は、制御チャネル時間−周波数リソースユニットの構成を示すために使用され、前記制御チャネル時間−周波数リソースユニットの前記構成は、制御チャネルの時間−周波数リソースユニットの少なくとも２つの構成の１つである、受信機と、
前記制御チャネル時間−周波数リソースユニットの前記構成に基づいて、第１の制御チャネルを検出するように構成されたプロセッサとを備え、
制御チャネルの時間−周波数リソースユニットの前記少なくとも２つの構成が、第１の構成および第２の構成を備え、
前記第１の構成の時間−周波数リソースユニットが、時間領域における１つの直交周波数分割多重シンボルを占有し、制御チャネルを復調するための参照信号が、前記第１の構成の前記時間−周波数リソースユニットにより占有された前記直交周波数分割多重シンボル上に位置し、
前記第２の構成の時間−周波数リソースユニットが、時間領域における少なくとも２つの直交周波数分割多重シンボルを占有し、制御チャネルを復調するための参照信号が、前記第２の構成の前記時間−周波数リソースユニットにより占有された前記少なくとも２つの直交周波数分割多重シンボルの少なくとも１つに位置する、装置。
【請求項２７】
コンピュータプログラムを記憶するコンピュータ記憶媒体であって、前記プログラムがプロセッサにより実行されたとき、請求項１乃至６のいずれか一項に記載の方法が実施される、コンピュータ記憶媒体。
【請求項２８】
コンピュータプログラムを記憶するコンピュータ記憶媒体であって、前記プログラムがプロセッサにより実行されたとき、請求項７乃至１２のいずれか一項に記載の方法が実施される、コンピュータ記憶媒体。
【請求項２９】
コンピュータに、請求項１乃至６のいずれか一項に記載の方法を実施させるプログラム。
【請求項３０】
コンピュータに、請求項７乃至１２のいずれか一項に記載の方法を実施させるプログラム。
【発明の詳細な説明】
【技術分野】
【０００１】
本出願は、２０１６年１１月３日に中国特許庁に出願された「ＣＯＮＴＲＯＬ  ＣＨＡＮＮＥＬ  ＲＥＳＯＵＲＣＥ  ＣＯＮＦＩＧＵＲＡＴＩＯＮ  ＭＥＴＨＯＤ、  ＢＡＳＥ  ＳＴＡＴＩＯＮ、ＡＮＤ  ＴＥＲＭＩＮＡＬ  ＤＥＶＩＣＥ」と題する中国特許出願第２０１６１０９７４２８８．１号の優先権を主張し、その全体を参照により本明細書に組み込むものである。
【０００２】
本出願は通信分野に関し、詳細には、制御チャネルリソース構成方法、基地局、および端末デバイスに関する。
【背景技術】
【０００３】
第５世代の無線アクセスシステム規格である新無線（New Radio、ＮＲ）において、周波数領域における基本単位はサブキャリアであり、また時間領域における基本単位は、直交周波数分割多重（Orthogonal Frequency Division Multiplexing、ＯＦＤＭ）シンボルである。リソース要素（Resource Element、ＲＥ）は、最小の物理的なリソースであり、１つのＯＦＤＭシンボルに１つのサブキャリアを含む。
【０００４】
ＮＲでは、時間領域における基本的なスケジューリング単位は、タイムスロット（スロット）またはミニスロットであり、またスロットまたはミニスロットは、いくつかのＯＦＤＭシンボルを含む。図１で示されるように、スロットは、制御領域とデータ領域とに分割され得るが、ダウンリンク制御チャネル（Physical Downlink Control Channel、ＰＤＣＣＨ）は、ダウンリンク制御情報（Downlink Control Information、ＤＣＩ）を搬送し、かつ制御領域で送信される。リソース要素群（Resource-Element Group、ＲＥＧ）は、制御領域においてダウンリンク制御チャネルに対する時間−周波数リソースを構成する時間−周波数リソースユニットである。
【０００５】
既存の解決策では、ダウンリンク制御チャネルは、固定構造のＲＥＧを用いることによって送信され、構成は柔軟なものではない。
【発明の概要】
【０００６】
本出願の実施形態は、制御領域において制御チャネルの時間−周波数リソースユニットを柔軟に構成するための制御チャネルリソース構成方法、基地局、および端末デバイスを提供する。
【０００７】
第１の態様によれば、制御チャネルリソース構成方法が提供され、方法は、
基地局により、制御チャネルの時間−周波数リソースユニットの少なくとも２つの構成から、時間−周波数リソースユニットの構成を決定するステップと、
基地局により、指示情報を端末デバイスに送るステップであって、指示情報は、時間−周波数リソースユニットの構成を示すために使用される、ステップとを含み、
時間−周波数リソースユニットの少なくとも２つの構成が、第１の構成および第２の構成を含み、
第１の構成の時間−周波数リソースユニットが、時間領域における１つの直交周波数分割多重シンボルを占有し、参照信号が、第１の構成の時間−周波数リソースユニットにより占有された直交周波数分割多重シンボル上に位置し、
第２の構成の時間−周波数リソースユニットが、時間領域における少なくとも２つの直交周波数分割多重シンボルを占有し、参照信号が、第２の構成の時間−周波数リソースユニットにより占有された少なくとも２つの直交周波数分割多重シンボルの少なくとも１つに位置する。
【０００８】
本出願のこの実施形態では、基地局は、制御領域において、制御チャネルの時間−周波数リソースユニットを柔軟に構成することが可能である。
【０００９】
さらに、時間−周波数リソースユニットを柔軟に構成することは、異なる構造の時間−周波数リソースユニットがブロックされる確率を低減し、それにより、端末デバイスにより制御チャネルを検出する複雑さを低減することが可能である。
【００１０】
可能な実装では、制御チャネルは、制御領域における少なくとも１つの時間−周波数リソース領域において送信され、
基地局により、制御チャネルの時間−周波数リソースユニットの少なくとも２つの構成から、時間−周波数リソースユニットの構成を決定するステップが、
基地局により、時間−周波数リソースユニットの少なくとも２つの構成から、少なくとも１つの時間−周波数リソース領域のそれぞれにおける時間−周波数リソースユニットの構成を決定するステップを含み、
指示情報は、少なくとも１つの時間−周波数リソース領域のそれぞれにおける時間領域リソースユニットの構成を示すために使用される。
【００１１】
可能な実装では、制御チャネルの時間−周波数リソースユニットが位置する制御領域は、時間領域における少なくとも３つの直交周波数分割多重シンボルを占有し、時間−周波数リソースユニットの構成は、第１の構成および／または第２の構成を含む。
【００１２】
可能な実装では、第２の構成の時間−周波数リソースユニットは、制御領域により占有された直交周波数分割多重シンボルにおける少なくとも２つの隣接する直交周波数分割多重シンボル上に位置する。
【００１３】
可能な実装では、同じ時間−周波数リソース領域において、第１の構成の時間−周波数リソースユニット、および第２の構成の時間−周波数リソースユニットは、制御領域の異なる直交周波数分割多重シンボル上に位置する。
【００１４】
可能な実装では、第２の構成の時間−周波数リソースユニットにより占有された直交周波数分割多重シンボルの少なくとも２つのそれぞれが、異なる量の参照信号を搬送する、または
第２の構成の時間−周波数リソースユニットにより占有された直交周波数分割多重シンボルのそれぞれが、同じ量の参照信号を搬送する。
【００１５】
可能な実装では、第２の構成の時間−周波数リソースユニットにより占有された直交周波数分割多重シンボルでそれぞれが搬送される参照信号は、同じ周波数領域位置に位置する。
【００１６】
可能な実装では、第２の構成の時間−周波数リソースユニットにより占有された直交周波数分割多重シンボルでそれぞれが搬送される参照信号は、異なる周波数領域位置に位置する。
【００１７】
可能な実装では、時間−周波数リソースユニットの構成と、ダウンリンク制御情報フォーマットとの間に対応関係があり、時間−周波数リソースユニットの構成は、ダウンリンク制御情報フォーマットを用いることにより示され、
基地局により、指示情報を端末デバイスに送るステップが、
基地局により、時間−周波数リソースユニットの構成および対応関係に基づいて、時間−周波数リソースユニットの構成に対応するダウンリンク制御情報フォーマットを決定するステップと、
基地局により、対応するフォーマットにおけるダウンリンク制御情報を端末デバイスに送るステップとを含む。
【００１８】
可能な実装では、指示情報は、指示チャネルで搬送され、指示チャネルは、制御領域における時間−周波数リソース領域で送信される。
【００１９】
可能な実装では、時間−周波数リソース領域で送信される指示チャネルにおいて搬送される指示情報は、時間−周波数リソースユニットの構成を時間−周波数リソース領域において示すために使用される。
【００２０】
可能な実装では、指示情報は、ダウンリンク制御情報で搬送され、
制御領域は、基本セット領域および拡張セット領域を含み、ダウンリンク制御情報が位置する制御チャネルは、基本セット領域で送信され、時間−周波数リソースユニットの構成は、拡張セット領域で送信される制御チャネルの時間−周波数リソースユニットの構成である。
【００２１】
可能な実装では、制御領域は、基本セット領域を含み、
基本セット領域で送信される制御チャネルの時間−周波数リソースユニットの構成は事前に構成される、または基本セット領域で送信される制御チャネルの時間−周波数リソースユニットの構成は、同報通信チャネルを用いることにより示される。
【００２２】
可能な実装では、指示情報は、上位レイヤのシグナリングで、またはシステム情報で搬送される。
【００２３】
可能な実装では、制御チャネルの時間−周波数リソースユニットが位置する制御領域は、時間領域における少なくとも２つの直交周波数分割多重シンボルを占有する。
【００２４】
第２の態様によれば、制御チャネルリソース構成方法が提供され、方法は、
端末デバイスにより、基地局によって送られた指示情報を受信するステップであって、指示情報は、制御チャネルの時間−周波数リソースユニットの構成を示すために使用され、時間−周波数リソースユニットの構成は、基地局により、時間−周波数リソースユニットの少なくとも２つの構成から決定される、ステップと、
端末デバイスにより、時間−周波数リソースユニットの構成に基づいて、制御チャネルを検出するステップとを含み、
時間−周波数リソースユニットの少なくとも２つの構成が、第１の構成および第２の構成を含み、
第１の構成の時間−周波数リソースユニットが、時間領域における１つの直交周波数分割多重シンボルを占有し、参照信号が、第１の構成の時間−周波数リソースユニットにより占有された直交周波数分割多重シンボル上に位置し、
第２の構成の時間−周波数リソースユニットが、時間領域における少なくとも２つの直交周波数分割多重シンボルを占有し、参照信号が、第２の構成の時間−周波数リソースユニットにより占有された少なくとも２つの直交周波数分割多重シンボルの少なくとも１つに位置する。
【００２５】
本出願のこの実施形態では、基地局は、制御領域における制御チャネルに対する時間−周波数リソースを構成する時間−周波数リソースユニットを柔軟に構成することが可能である。
【００２６】
さらに、時間−周波数リソースユニットを柔軟に構成することは、異なる構造の時間−周波数リソースユニットがブロックされる確率を低減し、それにより、端末デバイスにより制御チャネルを検出する複雑さを低減することが可能である。
【００２７】
さらに、端末デバイスは、基地局により示された時間−周波数リソースユニットの構成に基づき、制御チャネルを検出する。これは、端末デバイスにより制御チャネルを検出する複雑さを低減することが可能である。
【００２８】
可能な実装では、制御チャネルは、制御領域における少なくとも１つの時間−周波数リソース領域で送信され、
指示情報は、少なくとも１つの時間−周波数リソース領域のそれぞれにおける時間領域リソースユニットの構成を示すために使用される。
【００２９】
可能な実装では、制御領域は、時間領域における少なくとも３つの直交周波数分割多重シンボルを占有し、時間−周波数リソースユニットの構成は、第１の構成および／または第２の構成を含む。
【００３０】
可能な実装では、第２の構成の時間−周波数リソースユニットは、制御領域により占有された直交周波数分割多重シンボルにおける少なくとも２つの隣接する直交周波数分割多重シンボル上に位置する。
【００３１】
可能な実装では、同じ時間−周波数リソース領域において、第１の構成の時間−周波数リソースユニット、および第２の構成の時間−周波数リソースユニットは、制御領域の異なる直交周波数分割多重シンボル上に位置する。
【００３２】
可能な実装では、第２の構成の時間−周波数リソースユニットにより占有された直交周波数分割多重シンボルの少なくとも２つのそれぞれが、異なる量の参照信号を搬送する、または
第２の構成の時間−周波数リソースユニットにより占有された直交周波数分割多重シンボルのそれぞれが、同じ量の参照信号を搬送する。
【００３３】
可能な実装では、第２の構成の時間−周波数リソースユニットにより占有された直交周波数分割多重シンボルでそれぞれが搬送される参照信号は、同じ周波数領域位置に位置する。
【００３４】
可能な実装では、第２の構成の時間−周波数リソースユニットにより占有された直交周波数分割多重シンボルでそれぞれが搬送される参照信号は、異なる周波数領域位置に位置する。
【００３５】
可能な実装では、時間−周波数リソースユニットの構成と、ダウンリンク制御情報フォーマットとの間に対応関係があり、時間−周波数リソースユニットの構成は、ダウンリンク制御情報フォーマットを用いることにより示され、
端末デバイスにより、基地局により送られた指示情報を受信することが、
端末デバイスにより、基地局によって送られた、時間−周波数リソースユニットの構成に対応するフォーマットにあるダウンリンク制御情報を受信することを含む。
【００３６】
可能な実装では、指示情報は、指示チャネルで搬送され、指示チャネルは、制御領域における時間−周波数リソース領域で送信される。
【００３７】
可能な実装では、時間−周波数リソース領域で送信される指示チャネルにおいて搬送される指示情報は、時間−周波数リソースユニットの構成を時間−周波数リソース領域において示すために使用される。
【００３８】
可能な実装では、指示情報は、ダウンリンク制御情報で搬送され、
制御領域は、基本セット領域および拡張セット領域を含み、ダウンリンク制御情報が位置する制御チャネルは、基本セット領域で送信され、時間−周波数リソースユニットの構成は、拡張セット領域で送信される制御チャネルの時間−周波数リソースユニットの構成である。
【００３９】
可能な実装では、制御領域は、基本セット領域を含み、
基本セット領域で送信される制御チャネルの時間−周波数リソースユニットの構成は事前に構成される、または基本セット領域で送信される制御チャネルの時間−周波数リソースユニットの構成は、同報通信チャネルを用いることにより示される。
【００４０】
可能な実装では、指示情報は、上位レイヤのシグナリングで、またはシステム情報で搬送される。
【００４１】
可能な実装では、制御チャネルの時間−周波数リソースユニットが位置する制御領域は、時間領域における少なくとも２つの直交周波数分割多重シンボルを占有する。
【００４２】
第３の態様によれば、基地局が提供され、基地局は、第１の態様または第１の態様の可能な実装のいずれか一項に記載の方法を実施するように構成される。
【００４３】
特に、基地局は、第１の態様または第１の態様の可能な実装のいずれか一項に記載の方法を実行するように構成されたユニットを含み得る。
【００４４】
第４の態様によれば、端末デバイスが提供され、また端末デバイスは、第１の態様または第１の態様の可能な実装のいずれか一項に記載の方法を実施するように構成される。
【００４５】
特に、端末デバイスは、第１の態様または第１の態様の可能な実装のいずれか一項に記載の方法を実行するように構成されたユニットを含み得る。
【００４６】
第５の態様によれば、基地局が提供され、基地局は、プロセッサ、送信機、メモリ、およびバスシステムを含み、ここで、プロセッサ、送信機、およびメモリは、バスシステムを用いることにより互いに接続され、メモリは、命令またはコードを記憶するように構成され、かつプロセッサは、メモリに記憶された命令またはコードを実行するように構成され、したがって、基地局は、第１の態様または第１の態様の可能な実装のいずれか一項に記載の方法を実行する。
【００４７】
第６の態様によれば、端末デバイスが提供され、端末デバイスは、プロセッサ、受信機、メモリ、およびバスシステムを含み、ここで、プロセッサ、受信機、およびメモリは、バスシステムを用いることにより互いに接続され、メモリは、命令またはコードを記憶するように構成され、またプロセッサは、メモリに記憶された命令またはコードを実行するように構成されて、端末デバイスは、第２の態様または第２の態様の可能な実装のいずれか一項に記載の方法を実行する。
【００４８】
第７の態様によれば、コンピュータ可読記憶媒体が提供され、ここでコンピュータ可読記憶媒体はプログラムを記憶し、プログラムは、基地局が、第１の態様または第１の態様の可能な実装のいずれか一項に記載の方法を実行できるようにする。
【００４９】
第８の態様によれば、コンピュータ可読記憶媒体が提供され、ここでコンピュータ可読記憶媒体はプログラムを記憶し、プログラムは、端末デバイスが、第２の態様または第２の態様の可能な実装のいずれか一項に記載の方法を実行できるようにする。
【００５０】
第９の態様によれば、装置が提供され、装置は、プロセッサおよびメモリを含み、ここで、メモリは、コンピュータ命令を記憶し、プロセッサは、メモリに記憶されたコンピュータ命令を実行して、装置は、第１の態様もしくは第１の態様の可能な実装のいずれか一項に記載の、または第２の態様もしくは第２の態様の可能な実装のいずれか一項に記載の方法を実施する。
【００５１】
第１０の態様によれば、コンピュータプログラムが提供され、ここで、コンピュータプログラムがコンピュータ上で動作したとき、コンピュータは、第１の態様もしくは第１の態様の可能な実装のいずれか一項に記載の、または第２の態様もしくは第２の態様の可能な実装のいずれか一項に記載の方法を実行する。
【図面の簡単な説明】
【００５２】
【図１】タイムスロットの概略的な構造図である。
【図２】本出願の実施形態による制御チャネルリソース構成方法の概略的な流れ図である。
【図３】本出願の実施形態による第１の構成の時間−周波数リソースユニットの概略的な構造図である。
【図４】本出願の実施形態による第２の構成の時間−周波数リソースユニットの概略的な構造図である。
【図５】本出願の実施形態による第２の構成の時間−周波数リソースユニットの別の概略的な構造図である。
【図６】本出願の実施形態による時間−周波数リソース領域の概略図である。
【図７】本出願の実施形態による時間−周波数リソースユニットの構成の概略図である。
【図８】本出願の別の実施形態による時間−周波数リソースユニットの構成の概略図である。
【図９】制御領域の概略図である。
【図１０】本出願の実施形態による基地局の概略的な構造図である。
【図１１】本出願の別の実施形態による基地局の概略的な構造図である。
【図１２】本出願の実施形態による端末デバイスの概略的な構造図である。
【図１３】本出願の別の実施形態による端末デバイスの概略的な構造図である。
【発明を実施するための形態】
【００５３】
以下では、本出願の実施形態において、添付図面を参照し本出願の実施形態の技術的な解決策を述べるものとする。
【００５４】
本出願の実施形態における技術的な解決策は、ワイヤレスフィデリティ（ＷｉＦｉ）、ワールドワイドインターオペラビリティフォーマイクロウェーブアクセス（Worldwide Interoperability for Microwave Access、ＷｉＭＡＸ）、グローバルシステムフォーモバイル通信（Global System for Mobile communication、ＧＳＭ）システム、符号分割多元接続（Code Division Multiple Access、ＣＤＭＡ）システム、広帯域符号分割多元接続（Wideband Code Division Multiple Access、ＷＣＤＭＡ）システム、汎用パケット無線サービス（General Packet Radio Service、ＧＰＲＳ）システム、ロングタームエボリューション（Long Term Evolution、ＬＴＥ）システム、ＬＴＥアドバンスト（Long Term Evolution Advanced、ＬＴＥ−Ａ）システム、ユニバーサル移動体通信システム（Universal Mobile Telecommunications System、ＵＭＴＳ）、および第３世代パートナーシッププロジェクト（The 3rd Generation Partnership Project、３ＧＰＰ）に関連するセルラシステムなど、様々な通信システムに適用され得ることを理解されたい。本出願の実施形態は、何らかの限定を課すものではない。しかし、説明を容易にするために、本出願の実施形態は、説明のための例として、ＬＴＥネットワークを使用する。
【００５５】
本出願の実施形態は、異なる規格を有する無線ネットワークで使用され得る。無線アクセスネットワークは、異なるシステムにおける異なるネットワーク要素を含んでよい。たとえば、無線アクセスネットワークのネットワーク要素は、ロングタームエボリューション（Long Term Evolution、ＬＴＥ）、およびＬＴＥ−Ａにおける進化型ノードＢ（ｅＮｏｄｅＢまたはｅＮＢ）を含み、無線アクセスネットワークのネットワーク要素は、無線ネットワーク制御装置（Radio Network Controller、ＲＮＣ）、および広帯域符号分割多元接続（Wideband Code Division Multiple Access、ＷＣＤＭＡ）におけるノードＢを含む。同様に、ワールドワイドインターオペラビリティフォーマイクロウェーブアクセス（Worldwide Interoperability for Microwave Access、ＷｉＭＡＸ）などの他の無線ネットワークは、本出願の実施形態のものと同様の解決策を使用してもよいが、基地局システムにおける関連するモジュールは異なり得る。本出願の実施形態は、何らかの限定を課すものではない。しかし、説明を容易にするために、以下の実施形態は、説明のための例として基地局を使用する。
【００５６】
本出願の実施形態において、端末デバイスはまた、ユーザ機器（ＵＥ、User Equipment）、移動局（ＭＳ、Mobile Station）、移動端末（Mobile Terminal）、または同様のものと呼ばれ得ることをさらに理解されたい。端末は、無線アクセスネットワーク（ＲＡＮ、Radio Access Network）を使用することにより、１つまたは複数のコアネットワークと通信し得る。たとえば、端末は、移動電話（または「セルラ」電話と呼ばれる）、または通信機能を有するコンピュータであり得る。たとえば、端末は、可搬型、ポケットサイズのもの、手持ち式、コンピュータ組込式、車載移動装置であり得る。
【００５７】
本出願の実施形態における「および／または」という用語は、関連する対象物を述べるために、関連付けの関係を記述するだけであり、３つの関係が存在し得ることを表現することを理解されたい。たとえば、Ａおよび／またはＢは、以下の３つの場合を表し得る、すなわち、Ａだけが存在すること、ＡとＢの両方が存在すること、およびＢだけが存在することである。加えて、本出願における文字「／」は、一般に、関連する対象物の間の「または」の関係を示す。
【００５８】
本出願の実施形態における「第１の」および「第２の」は、単に区別するために使用されるだけであり、一連のもの、またはサイズの意味を表すものではない。
【００５９】
図２は、本出願の本実施形態による制御チャネルリソース構成方法２００の概略的な流れ図である。図２で示されるように、方法２００は以下の内容を含む。
【００６０】
２１０．基地局は、制御チャネルの時間−周波数リソースユニットの少なくとも２つの構成から、時間−周波数リソースユニットの構成を決定する。
【００６１】
時間−周波数リソースユニットの少なくとも２つの構成は、第１の構成および第２の構成を含み、時間−周波数リソースユニットの構成は、時間−周波数リソースユニットの少なくとも２つの構成の１つまたは複数である。
【００６２】
任意選択で、制御チャネルの時間−周波数リソースユニットが位置する制御領域は、時間領域における少なくとも２つの直交周波数分割多重シンボルを占有する。
【００６３】
制御チャネルは、ダウンリンク制御チャネルであり得る。たとえば、制御チャネルは、ＰＤＣＣＨであり得る。説明を容易にするために、制御チャネルを述べるために、添付図における例としてＰＤＣＣＨが使用される。しかし、本出願のこの実施形態は、それに対して何らかの限定を課すものではない。制御チャネルは、あるいは、別のダウンリンク制御チャネルとしてもよい。
【００６４】
制御チャネルの時間−周波数リソースは、複数の時間−周波数リソースユニットを含み得る。
【００６５】
時間−周波数リソースユニットは、少なくとも１つのＲＥを含み得る。たとえば、時間−周波数リソースユニットは、ＲＥＧと呼ばれ得る。
【００６６】
２２０．基地局は、指示情報を端末デバイスに送る、ここで、指示情報は、時間−周波数リソースユニットの構成を示すために使用される。
【００６７】
２３０．基地局により送られた指示情報を受信した後、端末デバイスは、指示情報により示された時間−周波数リソースユニットの構成に基づいて、制御チャネルを検出する。
【００６８】
時間−周波数リソースユニットの構成は、第１の構成または第２の構成を含む。
【００６９】
本出願のこの実施形態では、基地局は、制御領域において、制御チャネルの時間−周波数リソースユニットを柔軟に構成することができる。
【００７０】
さらに、時間−周波数リソースユニットを柔軟に構成することは、異なる構造の時間−周波数リソースユニットがブロックされる確率を低減し、それにより、端末デバイスによって制御チャネルを検出する複雑さを低減することができる。
【００７１】
さらに、端末デバイスは、基地局により示された時間−周波数リソースユニットの構成に基づき、制御チャネルを検出する。これは、端末デバイスによって制御チャネルを検出する複雑さを低減することができる。
【００７２】
第１の構成の時間−周波数リソースユニットは、時間領域における１つの直交周波数分割多重シンボルを占有し、参照信号（Reference Signal、ＲＳ）は、第１の構成の時間−周波数リソースユニットにより占有された直交周波数分割多重シンボル上に位置する。第１の構成の時間−周波数リソースユニットを使用することは、遅延を低減することができ、したがって、第１の構成の時間−周波数リソースユニットは、低遅延要件を有するサービスに適用可能である。図３で示すように、第１の構成の時間−周波数リソースユニットは、少なくとも１つの参照信号を送信し得る。
【００７３】
第２の構成の時間−周波数リソースユニットは、時間領域における少なくとも２つの直交周波数分割多重シンボルを占有し、参照信号は、第２の構成の時間−周波数リソースユニットにより占有された少なくとも２つの直交周波数分割多重シンボルの少なくとも１つに位置する。
【００７４】
任意選択で、第２の構成の時間−周波数リソースユニットは、以下の２つの実装の少なくとも１つをさらに含み得る。
【００７５】
実装１
【００７６】
第２の構成の時間−周波数リソースユニットにより占有された直交周波数分割多重シンボルの少なくとも２つのそれぞれが、異なる量の参照信号を搬送する。任意選択で、図４で示されるように、参照信号は、第２の構成の時間−周波数リソースユニットにより占有された２つの直交周波数分割多重シンボルのいずれかに位置する。第２の構成の時間−周波数リソースユニットを使用することは、参照信号のオーバーヘッドを低減し、したがって、第２の構成の時間−周波数リソースユニットは、送信されるには比較的さらに多くの情報ビットが必要となるＰＤＣＣＨに適用可能である。
【００７７】
実装２
【００７８】
第２の構成の時間−周波数リソースユニットにより占有される少なくとも２つの直交周波数分割多重シンボルのそれぞれは、同じ量の参照信号を搬送する。任意選択で、図５で示されるように、第２の構成の時間−周波数リソースユニットにより占有される少なくとも２つの直交周波数分割多重シンボルでそれぞれが搬送される参照信号は、同じ周波数領域位置に位置する。言い換えると、第２の構成の時間−周波数リソースユニットにより占有された少なくとも２つの直交周波数分割多重シンボルにおける第１の直交周波数分割多重シンボルで搬送される参照信号が位置するサブキャリアは、第２の直交周波数分割多重シンボルで搬送される参照信号が位置するサブキャリアと同じである。第２の構成の時間−周波数リソースユニットにより占有された２つの直交周波数分割多重シンボルでそれぞれが搬送される参照信号は、代替的に、異なる周波数領域位置に位置し得ることに留意されたい。本出願のこの実施形態は、それに対して何らかの限定を課すものではない。第２の構成の時間−周波数リソースユニットを用いることによって、時間領域における２つの隣接する直交周波数分割多重シンボル上で参照信号を送ることは、チャネル推定性能を向上させることができる。この方法は、制限された通達範囲シナリオ（たとえば、セルエッジのユーザ）に適用可能であり、かつ制御チャネル復調性能を向上させることができる。
【００７９】
図４および図５は、説明のための例として時間領域における２つの直交周波数分割多重シンボルを使用するにすぎず、どんな限定も本出願のこの実施形態では課されないことを理解されたい。
【００８０】
本出願のこの実施形態では、参照信号は、制御チャネルを復調するために使用され得る。
【００８１】
時間−周波数リソースユニットにより送信される少なくとも１つの参照信号の周波数領域ロケーションは、本出願のこの実施形態では限定されないことを理解されたい。たとえば、少なくとも１つの参照信号における同じ直交周波数分割多重シンボル上のいずれか２つの参照信号のシーケンスシンボルは、周波数領域における少なくとも１つのサブキャリアによって分離され得る。
【００８２】
任意選択で、指示情報は、時間−周波数リソースユニットで搬送される参照信号の時間領域ロケーションおよび／または周波数領域ロケーションを示すためにさらに使用され得る。
【００８３】
任意選択で、ステップ２１０において、基地局により、制御チャネルの時間−周波数リソースユニットの少なくとも２つの構成から、時間−周波数リソースユニットの構成を決定するステップは、
制御領域により占有された直交周波数分割多重シンボルの量、サービス要件、または端末デバイスのネットワーク環境の少なくとも１つに基づいて、基地局により、時間−周波数リソースユニットの少なくとも２つの構成から、時間−周波数リソースユニットの構成を決定するステップ、を含む。
【００８４】
たとえば、サービスが比較的低い遅延を必要とするとき、基地局は、サービスの低遅延要件を満たすために、第１の構成の時間−周波数リソースユニットを使用することを決定し得る。制御領域において比較的少数の時間−周波数リソースが存在するとき、基地局は、実装１における時間−周波数リソースユニットを使用することを決定して、参照信号オーバーヘッドを低減し、それにより、制御チャネルの容量に対する限定を回避し得る。端末デバイスがセルエッジ上に位置するとき、基地局は、実装２における時間−周波数リソースユニットを使用することを決定して、参照チャネルカバレージを増加させ、それにより、チャネル推定性能を改善し得る。
【００８５】
制御領域が、時間領域において１つの直交周波数分割多重シンボルを占有する場合、基地局は、時間−周波数リソースユニットの構成が第１の構成であると決定し得ることに留意されたい。
【００８６】
したがって、本出願のこの実施形態における制御チャネルリソース構成方法は、異なるシナリオにおける要件を満たすことができる。
【００８７】
制御領域は、少なくとも１つの時間−周波数リソース領域を含み得る。図６に示されているように、制御領域は、３つの時間−周波数リソース領域を含む。１つの時間−周波数リソース領域は、時間領域において１つまたは複数の直交周波数分割多重シンボルを占有し得る。１つの時間−周波数リソース領域は、時間領域における制御領域により占有された直交周波数分割多重シンボル上に位置することに留意されたい。たとえば、制御領域が時間領域において２つの直交周波数分割多重シンボルを占有する場合、１つの時間−周波数リソース領域は、時間領域における制御領域により占有された２つの直交周波数分割多重シンボル上に位置し、または制御領域が時間領域において３つの直交周波数分割多重シンボルを占有する場合、１つの時間−周波数リソース領域は、時間領域における制御領域により占有された３つの直交周波数分割多重シンボル上に位置する。時間−周波数リソース領域は制御サブバンド（control subband）と呼ばれることがある。しかしながら、本出願のこの実施形態はそれに限定を課さない。
【００８８】
任意選択で、制御チャネルは、制御領域における少なくとも１つの時間−周波数リソース領域で送信される。図６に示されているように、ＰＤＣＣＨ１は、時間−周波数リソース領域１で送信され、ＰＤＣＣＨ２は、時間−周波数リソース領域２および時間−周波数リソース領域３で送信される。１つの時間−周波数リソース領域は、少なくとも１つの時間−周波数リソースユニットを含み得る。いくつかの実施形態では、１つの時間−周波数リソース領域は、少なくとも１つの時間−周波数リソースユニットに加えて、別の粒度の時間−周波数リソースをさらに含み得ることを理解されたい。
【００８９】
いくつかの実施形態では、少なくとも１つの時間−周波数リソース領域における異なる時間−周波数リソース領域での時間−周波数リソースユニットの構成は同じである。
【００９０】
いくつかの実施形態では、少なくとも１つの時間−周波数リソース領域における異なる時間−周波数リソース領域での時間−周波数リソースユニットの構成は異なる。対応して、ステップ２１０において、基地局により、制御チャネルの時間−周波数リソースユニットの少なくとも２つの構成から、時間−周波数リソースユニットの構成を決定するステップは、基地局により、時間−周波数リソースユニットの少なくとも２つの構成から、少なくとも１つの時間−周波数リソース領域のそれぞれにおける時間−周波数リソースユニットの構成を決定するステップ、を含む。基地局により送られた指示情報は、少なくとも１つの時間−周波数リソース領域のそれぞれにおける時間領域リソースユニットの構成を示すために使用される。言い換えれば、制御領域において制御チャネルを送信するために使用される少なくとも１つの時間−周波数リソース領域における異なる時間−周波数リソース領域での時間−周波数リソースユニットの構成が異なるとき、基地局は、各時間−周波数リソース領域における時間−周波数リソースユニットの構成を端末デバイスに示し得る。
【００９１】
いくつかの実施形態では、制御領域は、時間領域において少なくとも２つの直交周波数分割多重シンボルを占有する。対応して、第１の時間−周波数リソース領域における時間−周波数リソースユニットの構成は第１の構成を含み、第２の時間−周波数リソース領域における時間−周波数リソースユニットの構成は第２の構成を含む。いくつかの実施形態では、制御領域は、時間領域において少なくとも３つの直交周波数分割多重シンボルを占有し、第１の時間−周波数リソース領域における時間−周波数リソースユニットの構成は、第１の構成を含み、第２の時間−周波数リソース領域における時間−周波数リソースユニットの構成は、第１の構成および第２の構成を含み、第３の時間−周波数リソース領域における時間−周波数リソースユニットの構成は、第２の構成を含む。
【００９２】
制御領域が時間領域において少なくとも２つの直交周波数分割多重シンボルを占有するとき、制御チャネルの時間−周波数リソースユニットは、（図７のＡに示されているように）第１の構成の時間−周波数リソースユニットを含み得るか、または（図７のＢおよびＣに示されているように）第２の構成の時間−周波数リソースユニットを含み得る。図７において、Ｂは、実装１における時間−周波数リソースユニットであり、Ｃは、実装２における時間−周波数リソースユニットである。図７のＤに示されているように、制御チャネルの時間−周波数リソースが少なくとも２つの時間−周波数リソースユニットを含む場合、少なくとも１つの時間−周波数リソースユニットは、実装１における時間−周波数リソースユニットであり得、少なくとも１つの時間−周波数リソースユニットは、実装２における時間−周波数リソースユニットであり得ることに留意されたい。
【００９３】
制御領域が第１の構成の時間−周波数リソースユニットのみを含むとき、第１の構成の複数の時間−周波数リソースユニットは、図７のＡに示されているように、制御領域の異なる直交周波数分割多重シンボル上にそれぞれ位置し得るか、または第１の構成の時間−周波数リソースユニットは、制御領域の少なくとも２つの直交周波数分割多重シンボルの１つを単に占有し得ることに留意されたい。さらに、第１の構成の複数の時間−周波数リソースユニットが、制御領域の少なくとも２つの直交周波数分割多重シンボル上にそれぞれ位置するとき、少なくとも２つの直交周波数分割多重シンボル上の第１の構成の複数の時間−周波数リソースユニットの周波数領域ロケーションは、同じであることがあり、または異なることがある。本出願のこの実施形態はそれに限定を課さない。
【００９４】
任意選択で、制御領域は、時間領域における少なくとも３つの直交周波数分割多重シンボルを占有し、時間−周波数リソースユニットの構成は、第１の構成および／または第２の構成を含む。
【００９５】
任意選択で、第２の構成の時間−周波数リソースユニットは、制御領域により占有された直交周波数分割多重シンボルにおける少なくとも２つの隣接する直交周波数分割多重シンボル上に位置する。
【００９６】
いくつかの実施形態では、制御領域は時間領域において少なくとも３つの直交周波数分割多重シンボルを占有し、制御チャネルの時間−周波数リソースユニットは、（図８のＡに示されているように）第１の構成の時間−周波数リソースユニットのみを含み得るか、または第２の構成の時間−周波数リソースユニットのみを含み得る。
【００９７】
いくつかの実施形態では、第２の構成の時間−周波数リソースユニットは、時間領域において少なくとも２つの直交周波数分割多重シンボルを占有する。対応して、時間−周波数リソースユニットの構成は、第１の構成および第２の構成を含み得る。具体的には、制御チャネルの時間−周波数リソースユニットは、第１の構成の時間−周波数リソースユニットおよび第２の構成の時間−周波数リソースユニットを含み得る。
【００９８】
第２の構成の時間−周波数リソースユニットは、（図８のＢおよびＣに示されているように）少なくとも２つの隣接する直交周波数分割多重シンボル上に位置し得る。図８のＢおよびＣにおける第２の構成の時間−周波数リソースユニットは、実装１における第２の構成の時間−周波数リソースユニットを含み得るか、または実装２における第２の構成の時間−周波数リソースユニットを含み得るか、または実装１における第２の構成の時間−周波数リソースユニットおよび実装２における第２の構成の時間−周波数リソースユニットを含み得ることを理解されたい。
【００９９】
制御チャネルの時間−周波数リソースユニットが第１の構成の時間−周波数リソースユニットのみを含むとき、第１の構成の複数の時間−周波数リソースユニットは、図８のＡに示されているように、制御領域の異なる直交周波数分割多重シンボル上にそれぞれ位置し得るか、または第１の構成の時間−周波数リソースユニットは、制御領域の少なくともいくつかの直交周波数分割多重シンボル上に単に位置し得ることに留意されたい。さらに、第１の構成の複数の時間−周波数リソースユニットが、制御領域の少なくともいくつかの直交周波数分割多重シンボル上にそれぞれ位置するとき、直交周波数分割多重シンボル上の第１の構成の複数の時間−周波数リソースユニットの周波数領域ロケーションは、同じであることがあり、または異なることがある。本出願のこの実施形態はそれに限定を課さない。さらに、少なくとも２つの直交周波数分割多重シンボル上に位置する第２の構成の時間−周波数リソースユニットの周波数領域ロケーションは、１つの直交周波数分割多重シンボル上に位置する第１の構成の時間−周波数リソースユニットの周波数領域ロケーションと同じであることがあり、または異なることがあることに留意されたい。本出願のこの実施形態はそれに限定を課さない。図８のＡ、Ｂ、およびＣは例にすぎず、本出願のこの実施形態に対していかなる限定ともならないものである。
【０１００】
任意選択で、ステップ２２０において、基地局は、複数の実装において指示情報を送り得る。以下で、説明のための例として４つの実装を使用する。
【０１０１】
第１の実装
【０１０２】
時間−周波数リソースユニットの構成と、ダウンリンク制御情報フォーマットとの間に対応関係があり、時間−周波数リソースユニットの構成は、ダウンリンク制御情報フォーマットを用いることにより示される。ダウンリンク制御情報フォーマットは、プリセットされた時間期間（たとえば、少なくとも１つのタイムスロット）の後に送信される制御チャネルの時間−周波数リソースユニットの構成を示すために使用され得る。
【０１０３】
対応して、ステップ２２０において、基地局により、指示情報を端末デバイスに送るステップは、
基地局により、時間−周波数リソースユニットの構成および対応関係に基づいて、時間−周波数リソースユニットの構成に対応するダウンリンク制御情報フォーマットを決定するステップと、
基地局により、対応するフォーマットにおけるダウンリンク制御情報を端末デバイスに送るステップとを含む。
【０１０４】
対応するフォーマットにおいてダウンリンク制御情報を受信した後に、端末デバイスは、対応するフォーマット、および時間−周波数リソースユニットの構成とダウンリンク制御情報フォーマットとの間の対応関係に基づいて、プリセットされた時間期間の後に送信される制御チャネルの時間−周波数リソースユニットの構成を決定し得る。
【０１０５】
第２の実装
【０１０６】
指示チャネルはあらかじめ定義されていることがあり、指示チャネルは、時間−周波数リソースユニットの構成を示すために使用される指示情報を送信するために使用され、すなわち、指示情報は、指示チャネルで搬送され得る。
【０１０７】
対応して、ステップ２２０において、基地局により、指示情報を端末デバイスに送るステップは、
基地局により、指示チャネルを用いることにより指示情報を端末デバイスに送るステップを含む。
【０１０８】
指示情報は、少なくとも１ビットの情報を含み得る。たとえば、指示情報は、１ビット情報、２ビット情報、または３ビット情報を含み得る。
【０１０９】
任意選択で、指示チャネルは、制御領域における時間−周波数リソース領域で送信され得る。
【０１１０】
いくつかの実施形態では、制御チャネルを送信するために使用される少なくとも１つの時間−周波数リソース領域における異なる時間−周波数リソース領域での時間−周波数リソースユニットの構成は異なる。
【０１１１】
任意選択で、各時間−周波数リソース領域で送信される指示チャネルは、時間−周波数リソースユニットの構成を現在の時間−周波数リソース領域において示すために使用される。
【０１１２】
第３の実装
【０１１３】
指示情報は、ダウンリンク制御情報で搬送される。
【０１１４】
図９に示されているように、制御領域は、基本セット領域および拡張セット領域を含むことがあり、ダウンリンク制御情報が位置する制御チャネルは、基本セット領域で送信され、指示情報により示される時間−周波数リソースユニットの構成は、拡張セット領域で送信される制御チャネルの時間−周波数リソースユニットの構成である。
【０１１５】
対応して、ステップ２２０において、基地局により、指示情報を端末デバイスに送るステップは、
基地局により、ダウンリンク制御情報を端末デバイスに送るステップであって、ダウンリンク制御情報は指示情報を含み、ダウンリンク制御情報が位置する制御チャネルは、基本セット領域で送信される、ステップを含む。
【０１１６】
任意選択で、基本セット領域で送信される制御チャネルの時間−周波数リソースユニットの構成は、プリセットされ得るか、またはシステム情報により示され得るか、または同報通信チャネルを用いることにより示され得る。
【０１１７】
第４の実装
【０１１８】
指示情報は、上位レイヤのシグナリングで、またはシステム情報で搬送される。
【０１１９】
対応して、ステップ２２０において、基地局により、指示情報を端末デバイスに送るステップは、
基地局により、上位レイヤのシグナリングまたはシステム情報を端末デバイスに送るステップであって、上位レイヤのシグナリングまたはシステム情報は指示情報を搬送する、ステップを含む。
【０１２０】
上位レイヤのシグナリングは、無線リソース制御（Radio Resource Control、ＲＲＣ）のシグナリングであり得、またシステム情報は、マスタ情報ブロック（Master Information Block、ＭＩＢ）であり得る。
【０１２１】
少なくとも１ビットは、時間−周波数リソースユニットの構成を表すために上位レイヤのシグナリングまたはシステム情報において設定され得る。
【０１２２】
本出願のこの実施形態では、少なくとも１ビットの情報ビットは、時間−周波数リソースユニットの構成を示すために使用される指示情報を表すために使用され得る。
【０１２３】
たとえば、制御領域が時間領域において２つの直交周波数分割多重シンボルを占有するとき、２ビット情報ビットは、指示情報を表すために使用され得る。たとえば、２ビット情報ビットは、上位レイヤのシグナリング、システム情報、またはダウンリンク制御情報において設定されることがあり、２ビット情報ビットの意味は以下の通りである。
【０１２４】
００：時間−周波数リソースユニットの構成が第１の構成を含む。
【０１２５】
０１：時間−周波数リソースユニットの構成が第２の構成を含む。
【０１２６】
１０〜１１：予約済み。
【０１２７】
たとえば、制御領域が時間領域において３つの直交周波数分割多重シンボルを占有するとき、３ビット情報ビットは、指示情報を表すために使用され得る。たとえば、３ビット情報ビットは、上位レイヤのシグナリング、システム情報、またはダウンリンク制御情報において設定されることがあり、３ビット情報ビットの意味は以下の通りである。
【０１２８】
０００：時間−周波数リソースユニットの構成が第１の構成を含む。
【０１２９】
００１：時間−周波数リソースユニットの構成が、第１の構成および第２の構成を含む。
【０１３０】
０１０：時間−周波数リソースユニットの構成が第２の構成を含む。
【０１３１】
０１１〜１１１：予約済み。
【０１３２】
上記は、説明のための例として２ビットおよび３ビットを使用するにすぎないことを理解されたい。しかしながら、本出願のこの実施形態はそれに限定を課さない。別の量のビットも、指示情報を表すために使用され得る。たとえば、指示情報を表すために１ビットが使用されるとき、「０」は、時間−周波数リソースユニットの構成が第１の構成を含むことを示すことがあり、また「１」は、時間−周波数リソースユニットの構成が第２の構成を含むことを示すことがある。
【０１３３】
第２の構成が複数の実装を含むとき、指示情報は、第２の構成によって使用される実装を示すためにさらに使用され得ることを理解されたい。
【０１３４】
任意選択で、指示情報は、時間−周波数リソースユニットで搬送される参照信号の時間領域ロケーションおよび／または周波数領域ロケーションをさらに示し得る。したがって、端末デバイスによって参照信号を検出する複雑さが低減されることが可能である。
【０１３５】
任意選択で、指示情報は、制御チャネルを送信するソリューションをさらに示し得る。制御チャネルを送信するソリューションは、送信ダイバーシティソリューション、ビームフォーミングソリューションなどであり得る。したがって、端末デバイスによって制御チャネルを送信するソリューションは柔軟にスケジュールされることが可能である。
【０１３６】
図２から図９に関して、上記で、本出願の実施形態による制御チャネルリソース構成方法について説明している。図１０から図１３に関して、以下で、本出願の実施形態による基地局および端末デバイスについて説明する。
【０１３７】
図１０は、本出願の実施形態による基地局１０００の概略構造図である。図１０に示されているように、基地局１０００は、処理ユニット１０１０および送出ユニット１０２０を含む。
【０１３８】
処理ユニット１０１０は、制御チャネルの時間−周波数リソースユニットの少なくとも２つの構成から、時間−周波数リソースユニットの構成を決定するように構成される。
【０１３９】
送出ユニット１０２０は、指示情報を端末デバイスに送るように構成され、指示情報は、処理ユニット１０１０により決定された時間−周波数リソースユニットの構成を示すために使用される。
【０１４０】
時間−周波数リソースユニットの少なくとも２つの構成は、第１の構成および第２の構成を含む。
【０１４１】
第１の構成の時間−周波数リソースユニットは、時間領域における１つの直交周波数分割多重シンボルを占有し、参照信号は、第１の構成の時間−周波数リソースユニットにより占有された直交周波数分割多重シンボル上に位置する。
【０１４２】
第２の構成の時間−周波数リソースユニットは、時間領域における少なくとも２つの直交周波数分割多重シンボルを占有し、参照信号は、第２の構成の時間−周波数リソースユニットにより占有された少なくとも２つの直交周波数分割多重シンボルの少なくとも１つに位置する。
【０１４３】
本出願のこの実施形態では、基地局は、制御領域における制御チャネルの時間−周波数リソースユニットを柔軟に構成することが可能である。
【０１４４】
さらに、時間−周波数リソースユニットを柔軟に構成することは、異なる構造の時間−周波数リソースユニットがブロックされる確率を低減し、それにより、端末デバイスによって制御チャネルを検出する複雑さを低減することが可能である。
【０１４５】
任意選択で、制御チャネルの時間−周波数リソースユニットが位置する制御領域は、時間領域における少なくとも２つの直交周波数分割多重シンボルを占有する。
【０１４６】
任意選択で、制御チャネルは、制御領域における少なくとも１つの時間−周波数リソース領域で送信される。対応して、処理ユニット１０１０は、時間−周波数リソースユニットの少なくとも２つの構成から、少なくとも１つの時間−周波数リソース領域のそれぞれにおける時間−周波数リソースユニットの構成を決定するように特に構成され得る。指示情報は、少なくとも１つの時間−周波数リソース領域のそれぞれにおける時間領域リソースユニットの構成を示すために使用される。
【０１４７】
任意選択で、制御チャネルの時間−周波数リソースユニットが位置する制御領域は、時間領域における少なくとも３つの直交周波数分割多重シンボルを占有し、時間−周波数リソースユニットの構成は、第１の構成および／または第２の構成を含む。
【０１４８】
任意選択で、第２の構成の時間−周波数リソースユニットは、制御領域により占有された直交周波数分割多重シンボルにおける少なくとも２つの隣接する直交周波数分割多重シンボル上に位置する。
【０１４９】
任意選択で、同じ時間−周波数リソース領域において、第１の構成の時間−周波数リソースユニット、および第２の構成の時間−周波数リソースユニットは、制御領域の異なる直交周波数分割多重シンボル上に位置する。
【０１５０】
任意選択で、第２の構成の時間−周波数リソースユニットにより占有された直交周波数分割多重シンボルの少なくとも２つのそれぞれは、異なる量の参照信号を搬送する、または
第２の構成の時間−周波数リソースユニットにより占有された直交周波数分割多重シンボルのそれぞれは、同じ量の参照シンボルを搬送する。
【０１５１】
任意選択で、第２の構成の時間−周波数リソースユニットにより占有された直交周波数分割多重シンボルでそれぞれが搬送される参照信号は、同じ周波数領域位置に位置する。
【０１５２】
任意選択で、時間−周波数リソースユニットの構成と、ダウンリンク制御情報フォーマットとの間に対応関係があり、時間−周波数リソースユニットの構成は、ダウンリンク制御情報フォーマットを用いることにより示される。対応して、処理ユニット１０１０は、時間−周波数リソースユニットの構成および対応関係に基づいて、時間−周波数リソースユニットの構成に対応するダウンリンク制御情報フォーマットを決定するようにさらに構成され、送出ユニット１０２０は、対応するフォーマットにおけるダウンリンク制御情報を端末デバイスに送るように特に構成される。
【０１５３】
任意選択で、指示情報は、指示チャネルで搬送され、指示チャネルは、制御領域における時間−周波数リソース領域で送信される。
【０１５４】
任意選択で、制御領域は、基本セット領域および拡張セット領域を含む。
【０１５５】
任意選択で、指示情報は、ダウンリンク制御情報で搬送され、ダウンリンク制御情報が位置する制御チャネルは、基本セット領域で送信され、時間−周波数リソースユニットの構成は、拡張セット領域で送信される制御チャネルのための時間−周波数リソースを成す時間−周波数リソースユニットの構成である。
【０１５６】
任意選択で、基本セット領域で送信される制御チャネルの時間−周波数リソースユニットの構成は事前に構成される、または基本セット領域で送信される制御チャネルの時間−周波数リソースユニットの構成は、同報通信チャネルを用いることにより示される。
【０１５７】
任意選択で、指示情報は、上位レイヤのシグナリングで、またはシステム情報で搬送される。
【０１５８】
本出願のこの実施形態による基地局１０００は、本出願の実施形態による制御チャネル構成方法２００における基地局に対応し得ることを理解されたい。さらに、基地局１０００中のユニットの上記および他の動作および／または機能は、図２の方法２００における基地局の対応する手順を実装することを意図される。簡潔のために、詳細についてここで再び説明されない。
【０１５９】
処理ユニット１０１０はプロセッサによって実装されてよく、送出ユニット１０２０は送信機によって実装されてよいことに留意されたい。図１１は、本出願の別の実施形態による基地局１１００の概略構造図である。図１１に示されているように、基地局１１００は、プロセッサ１１１０、送信機１１２０、メモリ１１３０、およびバスシステム１１４０を含む。基地局１１００のすべての構成要素は、バスシステム１１４０を用いることにより互いに結合される。
【０１６０】
メモリ１１３０は、プロセッサ１１１０によって実行されるコードなどを記憶するように構成され得る。送信機１１２０は、プロセッサ１１１０の制御下で信号を送るように構成される。
【０１６１】
特に、プロセッサ１１１０は、処理ユニット１０１０の機能を実装するように構成され、送信機１１２０は、送出ユニット１０２０の機能を実装するように構成される。
【０１６２】
本出願のこの実施形態による基地局１１００は、本出願の実施形態による制御チャネル構成方法２００における基地局および本出願の実施形態による基地局１０００に対応し得ることを理解されたい。さらに、基地局１１００中のユニットの上記および他の動作および／または機能は、図２の方法２００における基地局の対応する手順を実装することを意図される。簡潔のために、詳細についてここで再び説明されない。
【０１６３】
図１２は、本出願の実施形態による端末デバイス１２００の概略構造図である。図１２に示されているように、端末デバイス１２００は、受信ユニット１２１０および検出ユニット１２２０を含む。
【０１６４】
受信ユニット１２１０は、基地局により、基地局により送られた指示情報を受信するように構成され、指示情報は、制御チャネルのための時間−周波数リソースを成す時間−周波数リソースユニットの構成を示すために使用され、時間−周波数リソースユニットの構成は、基地局により、時間−周波数リソースユニットの少なくとも２つの構成から決定される。
【０１６５】
検出ユニット１２２０は、受信ユニット１２１０により受信された指示情報によって示される時間−周波数リソースユニットの構成に基づいて制御チャネルを検出するように構成される。
【０１６６】
時間−周波数リソースユニットの少なくとも２つの構成は、第１の構成および第２の構成を含む。
【０１６７】
第１の構成の時間−周波数リソースユニットは、時間領域における１つの直交周波数分割多重シンボルを占有し、参照信号は、第１の構成の時間−周波数リソースユニットにより占有された直交周波数分割多重シンボル上に位置する。
【０１６８】
第２の構成の時間−周波数リソースユニットは、時間領域における少なくとも２つの直交周波数分割多重シンボルを占有し、参照信号は、第２の構成の時間−周波数リソースユニットにより占有された少なくとも２つの直交周波数分割多重シンボルの少なくとも１つに位置する。
【０１６９】
本出願のこの実施形態では、基地局は、制御領域における制御チャネルの時間−周波数リソースユニットを柔軟に構成することが可能である。
【０１７０】
さらに、時間−周波数リソースユニットを柔軟に構成することは、異なる構造の時間−周波数リソースユニットがブロックされる確率を低減し、それにより、端末デバイスによって制御チャネルを検出する複雑さを低減することが可能である。
【０１７１】
さらに、端末デバイスは、基地局により示される時間−周波数リソースユニットの構成に基づいて制御チャネルを検出する。これは、端末デバイスによって制御チャネルを検出する複雑さを低減することが可能である。
【０１７２】
任意選択で、制御チャネルの時間−周波数リソースユニットが位置する制御領域は、時間領域における少なくとも２つの直交周波数分割多重シンボルを占有する。
【０１７３】
任意選択で、制御チャネルは、制御領域における少なくとも１つの時間−周波数リソース領域で送信され、指示情報は、少なくとも１つの時間−周波数リソース領域のそれぞれにおける時間領域リソースユニットの構成を示すために使用される。
【０１７４】
任意選択で、制御領域は、時間領域における少なくとも３つの直交周波数分割多重シンボルを占有し、時間−周波数リソースユニットの構成は、第１の構成および／または第２の構成を含む。
【０１７５】
任意選択で、第２の構成の時間−周波数リソースユニットは、制御領域により占有された直交周波数分割多重シンボルにおける少なくとも２つの隣接する直交周波数分割多重シンボル上に位置する。
【０１７６】
任意選択で、同じ時間−周波数リソース領域において、第１の構成の時間−周波数リソースユニット、および第２の構成の時間−周波数リソースユニットは、制御領域の異なる直交周波数分割多重シンボル上に位置する。
【０１７７】
任意選択で、第２の構成の時間−周波数リソースユニットにより占有された直交周波数分割多重シンボルの少なくとも２つのそれぞれは、異なる量の参照信号を搬送する、または
第２の構成の時間−周波数リソースユニットにより占有された直交周波数分割多重シンボルのそれぞれは、同じ量の参照シンボルを搬送する。
【０１７８】
任意選択で、第２の構成の時間−周波数リソースユニットにより占有された直交周波数分割多重シンボルでそれぞれが搬送される参照信号は、同じ周波数領域位置に位置する。
【０１７９】
任意選択で、時間−周波数リソースユニットの構成と、ダウンリンク制御情報フォーマットとの間に対応関係があり、時間−周波数リソースユニットの構成は、ダウンリンク制御情報フォーマットを用いることにより示される。対応して、受信ユニット１２１０は、基地局によって送られた、時間−周波数リソースユニットの構成に対応するフォーマットにあるダウンリンク制御情報を受信するように特に構成される。
【０１８０】
任意選択で、指示情報は、指示チャネルで搬送され、また指示チャネルは、制御領域における時間−周波数リソース領域で送信される。
【０１８１】
任意選択で、時間−周波数リソース領域で送信される指示チャネルにおいて搬送される指示情報は、時間−周波数リソースユニットの構成を時間−周波数リソース領域において示すために使用される。
【０１８２】
任意選択で、指示情報は、ダウンリンク制御情報で搬送され、制御領域は、基本セット領域および拡張セット領域を含み、ダウンリンク制御情報が位置する制御チャネルは、基本セット領域で送信され、時間−周波数リソースユニットの構成は、拡張セット領域で送信される制御チャネルの時間−周波数リソースユニットの構成である。
【０１８３】
任意選択で、制御領域は基本セット領域を含み、基本セット領域で送信される制御チャネルの時間−周波数リソースユニットの構成は事前に構成される、または基本セット領域で送信される制御チャネルの時間−周波数リソースユニットの構成は、同報通信チャネルを用いることにより示される。
【０１８４】
任意選択で、指示情報は、上位レイヤのシグナリングで、またはシステム情報で搬送される。
【０１８５】
本出願のこの実施形態による端末デバイス１２００は、本出願の実施形態による制御チャネル構成方法２００における端末デバイスに対応し得ることを理解されたい。さらに、端末デバイス１２００中のユニットの上記および他の動作および／または機能は、図２の方法２００における端末デバイスの対応する手順を実装することを意図される。簡潔のために、詳細についてここで再び説明されない。
【０１８６】
受信ユニット１２１０は受信機によって実装されてよく、検出ユニット１２２０はプロセッサによって実装されてよいことに留意されたい。図１３は、本出願の別の実施形態による端末デバイス１３００の概略構造図である。図１３に示されているように、端末デバイス１３００は、プロセッサ１３１０、受信機１３２０、メモリ１３３０、およびバスシステム１３４０を含む。端末デバイス１３００のすべての構成要素は、バスシステム１３４０を用いることにより互いに結合される。
【０１８７】
メモリ１３３０は、プロセッサ１３１０によって実行されるコードなどを記憶するように構成され得る。受信機１３２０は、プロセッサ１３１０の制御下で信号を受信するように構成される。
【０１８８】
特に、プロセッサ１３１０は、検出ユニット１２２０の機能を実装するように構成され、受信機１３２０は、受信ユニット１２１０の機能を実装するように構成される。
【０１８９】
本出願のこの実施形態による端末デバイス１３００は、本出願の実施形態による制御チャネル構成方法２００における端末デバイスおよび本出願の実施形態による端末デバイス１２００に対応し得ることを理解されたい。さらに、端末デバイス１３００中のユニットの上記および他の動作および／または機能は、図２の方法２００における端末デバイスの対応する手順を実装することを意図される。簡潔のために、詳細についてここで再び説明されない。
【０１９０】
データバスに加えて、上記の実施形態におけるバスシステムは、電力バス、制御バス、ステータス信号バスなどをさらに含み得ることに留意されたい。表現しやすいように、様々なバスは、図ではバスシステムとしてマークされる。
【０１９１】
上記の実施形態におけるメモリは、ランダムアクセスメモリ（random access memory、ＲＡＭ）など、揮発性メモリ（volatile memory）を含むことがあり、メモリは、フラッシュメモリ（flash memory）、ハードディスクドライブ（hard disk drive、ＨＤＤ）、もしくはソリッドステートドライブ（solid state drive、ＳＳＤ）など、不揮発性メモリ（nonvolatile memory）を含むことがあるか、またはメモリは、上記のメモリの組合せを含むことがある。
【０１９２】
上記の実施形態では、プロセッサは、中央処理ユニット（central processing unit、ＣＰＵ）、ネットワークプロセッサ（network processor、ＮＰ）、またはＣＰＵとＮＰの組合せであり得る。プロセッサはハードウェアチップをさらに含み得る。ハードウェアチップは、特定用途向け集積回路（application-specific integrated circuit、ＡＳＩＣ）、プログラマブル論理デバイス（programmable logic device、ＰＬＤ）、またはそれらの組合せであり得る。ＰＬＤは、複合プログラマブル論理デバイス（complex programmable logic device、ＣＰＬＤ）、フィールドプログラマブルゲートアレイ（field-programmable gate array、ＦＰＧＡ）、汎用アレイ論理（generic array logic、ＧＡＬ）、またはそれらの任意の組合せであり得る。
【０１９３】
当業者は、本明細書で開示される実施形態において説明される例と組み合わせることで、ユニットおよびアルゴリズムステップが、電子ハードウェアまたはコンピュータソフトウェアと電子ハードウェアの組合せによって実装され得ることに気づいていよう。機能がハードウェアによって実施されるかソフトウェアによって実施されるかは、技術的解決策の特定の適用例および設計制約条件に依存する。当業者は、特定の適用例ごとに説明される機能を実装するために異なる方法を使用してよいが、その実装が本出願の実施形態の範囲を越えると考えられるべきではない。
【０１９４】
好都合で手短な説明のために、上記のシステム、装置、およびユニットの詳細な動作処理について、上記の方法実施形態における対応する処理への参照が行われ得ることが当業者には明らかに理解され得、詳細についてここで再び説明されない。
【０１９５】
本出願において提供されるいくつかの実施形態では、開示されるシステム、装置、および方法は他の方式で実装されてよいことを理解されたい。たとえば、説明される装置実施形態は一例にすぎない。たとえば、ユニット分割は論理的機能分割にすぎず、実際の実装では他の分割であってよい。たとえば、複数のユニットもしくは構成要素は、組み合わされるかもしくは別のシステムに組み込まれてよく、またはいくつかの特徴は、無視されるかもしくは実施されなくてよい。さらに、表示または議論された相互結合もしくは直接結合または通信接続は、いくつかのインターフェースを用いることにより実装され得る。装置またはユニット間の間接的結合または通信接続は、電気的、機械的、または他の形態で実装され得る。
【０１９６】
別個の部分として説明されたユニットは、物理的に別個であってもなくてもよく、ユニットとして表示された部分は、物理ユニットであってもなくてもよく、１つの位置に位置しても、または複数のネットワークユニット上に分散されてもよい。ユニットの一部または全部は、実施形態の解決策の目的を達成するために実際の要件に従って選択されてよい。
【０１９７】
さらに、本出願の実施形態における機能ユニットは１つの処理ユニットに組み込まれ得るか、またはユニットのそれぞれが物理的に単独で存在し得るか、または２つ以上のユニットが１つのユニットに組み込まれる。
【０１９８】
機能がソフトウェア機能ユニットの形態で実装され、独立した製品として販売または使用されるとき、機能はコンピュータ可読記憶媒体に記憶されてよい。そのような理解に基づいて、本出願の実施形態の技術的解決策は本質的に、または従来技術に寄与する部分は、または技術的解決策のいくつかは、ソフトウェア製品の形態で実装されてよい。コンピュータソフトウェア製品は、記憶媒体に記憶され、本出願の実施形態で説明される方法のステップの全部または一部を実施するように（パーソナルコンピュータ、サーバ、ネットワークデバイスなどであり得る）コンピュータデバイスに命令するためのいくつかの命令を含む。上記の記憶媒体は、ＵＳＢフラッシュドライブ、リムーバブルハードディスク、読取り専用メモリ（Read-Only Memory、ＲＯＭ）、ランダムアクセスメモリ（Random Access Memory、ＲＡＭ）、磁気ディスク、または光ディスクなど、プログラムコードを記憶することができる任意の媒体を含む。
【０１９９】
上記の説明は、本出願の特定の実装にすぎず、本出願の保護範囲を限定することを意図されない。本出願に開示される技術範囲内で当業者によって容易に理解されるいかなる変更または置換も、本出願の保護範囲内に入るものである。したがって、本出願の保護範囲は、特許請求の範囲の保護範囲に従わなければならないものである。
【図１】
0006818885.tif 000002
【図２】
0006818885.tif 000003
【図３】
0006818885.tif 000004
【図４】
0006818885.tif 000005
【図５】
0006818885.tif 000006
【図６】
0006818885.tif 000007
【図７】
0006818885.tif 000008
【図８】
0006818885.tif 000009
【図９】
0006818885.tif 000010
【図１０】
0006818885.tif 000011
【図１１】
0006818885.tif 000012
【図１２】
0006818885.tif 000013
【図１３】
0006818885.tif 000014